(57)【要約】      （修正有）【課題】給水設備に組み立てることができ、かつ水を使用する前に直ちに水に対して微細化の処理を行うことにより、獲得される小分子団水を直ちに使用者の使用に用いることができる水分子団の分解装置を提供する。【解決手段】一個の本体１、少なくとも一個の送水管２および少なくとも一個の振動器３を有する。本体１には一個の収容空間１１が形成され、本体１には複数個の通孔１２が設けられる。送水管２は本体１の収容空間１１に設けられ、送水管２にはそれぞれ本体１の通孔１２と連通するための入水端２１および出水端２２が設けられる。振動器３は収容空間１１の中に設けられ、かつ一個の表面によって本体１に固定されるように構成されている。【選択図】図１
0003171626.tif 000002
【実用新案登録請求の範囲】
【請求項１】
一個の本体（１）、少なくとも一個の送水管（２）および少なくとも一個の振動器（３）を有する水分子団の分解装置において、本体（１）には一個の収容空間（１１）が形成され、本体（１）には複数個の通孔（１２）が設けられ、送水管（２）は本体（１）の収容空間（１１）に設けられ、送水管（２）にはそれぞれ本体（１）の通孔（１２）と連通するための入水端（２１）および出水端（２２）が設けられ、振動器（３）は収容空間（１１）の中に設けられ、かつ振動器の一個の表面によって本体（１）に固定されることを特徴とする水分子団の分解装置。
【請求項２】
少なくとも一個の送水管（２）は一個のポンプ（４）と互いに連接するように形成されることを特徴とする請求項１に記載の水分子団の分解装置。
【請求項３】
本体（１）の収容空間（１１）には一個の開口が設けられ、上記開口は一個の蓋体（１４）が互いに結合するのに用いられることを特徴とする請求項１に記載の水分子団の分解装置。
【請求項４】
本体（１）の収容空間（１１）には一個の開口が設けられ、上記開口は一個の蓋体（１４）が互いに結合するのに用いられることを特徴とする請求項２に記載の水分子団の分解装置。
【請求項５】
ポンプ（４）は蓋体（１４）に固定されることを特徴とする請求項４に記載の水分子団の分解装置。
【請求項６】
送水管（２）は螺旋状に形成されることを特徴とする請求項１または２に記載の水分子団の分解装置。
【請求項７】
送水管（６）はＳ字形に曲がりくねるように設けられることを特徴とする請求項１または２に記載の水分子団の分解装置。
【請求項８】
振動器（３）の一個の表面は本体（１）に固定され、振動器（３）のもう一個の表面は送水管（２）に固定されることを特徴とする請求項１または２に記載の水分子団の分解装置。
【考案の詳細な説明】
【技術分野】
【０００１】
本考案は、水処理装置に関するもので、特に水分子を微細化にすることができる水分子団の分解装置に係るものである。
【背景技術】
【０００２】
一個の水分子は一個の酸素原子と二個の水素原子により構成される。しかし、一個の水分子は単独に存在することができず、水分子と水分子の間に水素結合が形成されて水分子団として形成され、通常、水道水は約１０〜１６個の水分子により構成される。
【０００３】
研究の結果によると、水分子団は水分子微細化の方法を利用して外部エネルギーを施すことによって水素結合を破壊し、水分子団の水分子の間の結合力を切断することにより、水分子を新たに配列させて整列した高密度の水分子団を組成させる。この水分子団は約５〜９個の水分子を含み、「小分子団水」と称されている。
【０００４】
この小分子団水は人体の細胞組織に対してとても強い浸透力を有し、細胞膜の緻密な蛋白質の間の狭い隙間に簡単に進入することができ、人体に吸収し易くなり、新しい細胞の育成と老化細胞の排除に役立つことができるため、新陳代謝の効果を促進することができる。また、小分子団水は弱アルカリ性であり、人体の酸性化を有効に制御することができるため、身体の健康維持に役立つことができる。さらに、微細化した水分子団は高い還元力、界面活性を有するとともに、高い酸素含有を有するため、清潔と殺菌の効果を高めることができる。
【０００５】
しかし、製造された後の小分子団水は、例えば保存する温度が変わったり、或いは一定時間を静かに放置したままにすると、水分子と水分子の間の水素結合が再び互いに結合して段々と元の大分子団水の態様に戻される。
【０００６】
そのため、業界において各種の長期効果型の小分子団水の製造設備の開発が進められており、例えば中華民国公告第Ｉ２３０６２８号（特許文献１を参照）の「水分子の長期効果型微細化方法と設備」においては、原水を気化してから複数個の鉱石を有する一個の衝撃装置に注入し、各種の形状の異なる鉱石に水分子を衝撃させることにより互いの結合力を破壊することによって、初期的に小分子団の態様を有する水蒸気を獲得し、次いで凝縮した後、再び上記複数個の鉱石を有する衝撃装置を通じて上記小分子団水を定型することにより、１〜２年間放置することができる長期効果型の小分子団水を獲得することができるようにしたものがある。
【先行技術文献】
【特許文献】
【０００７】
【特許文献１】中華民国公告第Ｉ２３０６２８号
【考案の概要】
【考案が解決しようとする課題】
【０００８】
上記のような従来の水分子団の分解装置においては、一般的に次のような問題点を有している。従来の水分子団の分解装置の構造では、製造される長期効果型の小分子団水は長期の効果を有すると言っても、その水分子団の体積は依然として放置時間に従って段々と大きくなる。すなわち、上記小分子団水は１〜２年を放置できると言っても、１年を放置した水では「小分子団水」の定義に符合していても、その分子団の体積は製造したばかりの時と比べるとかなり大きくなるため、相対的に小分子団水の効果に影響を及ぼしてしまう。その他に、上記長期効果型の小分子団水を製造する設備では、その部材が多く、容積が厖大なため、設備のコストが高くなるだけではなく、組み立てと保守点検が難しくなり、設置場所も制限されるため、広大な工場を購入したり借りたりしなければならず、家庭やオフィスや実験室などの一般的な給水設備に設置することができず、また、このため、製造された小分子団水は使用者向けに包装して輸送することによって飲用したり使用したりしなければならないため、間接的に製造コストが高くなるという問題があった。
【０００９】
また、上述した従来の水分子団の分解装置においては、処理された小分子団水に長期効果の特性を提供させるべく、複数個の鉱石を有する衝撃装置を設置しなければならないため、設備のコストが高くなるだけではなく、組み立てと保守点検が難しくなり、設置の場所も制限される。また、その完成品も包装、運送が必要になるため、設備のコストが高くなるばかりか、さらに製造工程が完成された時の分子団が最も細かくかつ最も効果を有する小分子団水を使用者に提供することができず、実にコストが高く効率の低い用水方法になってしまう。これに対して、仮に一般的な給水設備に設置することができる水分子団の分解装置があれば、水を使用する直前に水に対して微細化処理を行うことにより、獲得された小分子団水を直ちに使用者の使用に供することができるため、小分子団水を長期効果的に保存できるか否かという問題は存在しなくなり、長期効果的な保存という問題点を簡単に解決することができる。このように、上記のような従来の水分子団の分解装置についてはさらなる改良を必要とするものであった。
【００１０】
本考案はこのような問題点に鑑みて考案されたものであって、その主な目的とするところは、一般的な給水設備に組み込むことができ、かつ水を使用する直前に水に対して微細化の処理を行うことにより、獲得された小分子団水を直ちに使用者の使用に供することができる水分子団の分解装置を提供することである。
【００１１】
本考案の第二の目的は、その構造が簡単で、容積が小さく、かつ簡単に組み立てることができるとともに、製造、保守点検のコストを低く抑えることができる水分子団の分解装置を提供するにある。
【課題を解決するための手段】
【００１２】
上記目的を達成するために、本考案による水分子団の分解装置は、一個の本体、少なくとも一個の送水管および少なくとも一個の振動器を有する。本体には一個の収容空間が形成され、本体には複数個の通孔が設けられる。送水管は本体の収容空間に設けられ、送水管にはそれぞれ本体の通孔と連通するための入水端および出水端が設けられる。振動器は収容空間の中に設けられ、かつ振動器の一個の表面によって本体に固定される。
【００１３】
また、少なくとも一個の送水管は一個のポンプと互いに連接するように形成されることもできる。また、本体の収容空間には一個の開口が設けられ、開口は一個の蓋体が互いに結合するのに用いられることもできる。また、ポンプは蓋体に固定されることもできる。また、送水管は螺旋状に形成されることもできる。また、送水管はＳ字形に曲がりくねるように設けられることもできる。また、振動器の一個の表面は本体に固定され、かつ振動器のもう一個の表面は送水管に固定されることもできる。
【考案の効果】
【００１４】
本考案の水分子団の分解装置によれば、一般的な給水設備に組み込むことができ、かつ水を使用する直前に水に対して微細化の処理を行うことにより、獲得された小分子団水を直ちに使用者の使用に供することができるという利点がある。
【００１５】
本考案の水分子団の分解装置によれば、その構造が簡単で、容積が小さく、かつ簡単に組み立てることができるとともに、製造、保守点検のコストを低く抑えることができるという利点がある。
【図面の簡単な説明】
【００１６】
【図１】図１は、本考案の実施例１による水分子団の分解装置の分解斜視図である。
【図２】図２は、本考案の実施例１による水分子団の分解装置の組み立てられた状態の断面図である。
【図３】図３は、本考案の実施例１による水分子団の分解装置の実施形態の説明図である。
【図４】図４は、本考案の実施例２による水分子団の分解装置の平面断面図である。
【図５】図５は、本考案の実施例３による水分子団の分解装置の分解斜視図である。
【考案を実施するための形態】
【００１７】
本考案の実施の形態について、以下、図面を参照して説明する。
【実施例１】
【００１８】
図１は本考案の実施例１による水分子団の分解装置の分解斜視図である。図１を参照すると、水分子団の分解装置には一個の本体１、少なくとも一個の送水管２および少なくとも一個の振動器３が含まれる。送水管２と振動器３は本体１の中に設けられる。
【００１９】
本体１はそれぞれの部材を組み立てて位置決めすることができる基体からなり、本体１の内部には一個の収容空間１１が形成され、かつ本体１には複数個の通孔１２と一個の配線孔１３が設けられる。本体１は各種の形状に形成することができ、実施例１において本体１は開口を有する矩形体に形成され、かつ本体１の上側（図示の位置関係において）には本体１の開口を封止するための一個の蓋体１４が設けられる。蓋体１４において本体１と接合しない一個の表面上には一個の固定ユニット１４１が設けられる。
【００２０】
その中、蓋体１４と本体１の結合方法は各種のよく見られる接合方法を用いることができ、例えば、蓋体１４の周縁において係止部が延伸されて本体１の周縁を被覆するように係止したり、または蓋体１４と本体１に周縁において相対する複数個の係止部材を設けて本体１と蓋体１４を互いに蓋するように合わせた後、上記係止部材によって係止して結合したりすることができる。或いは、例えば図１に示すように、本体１の開口の端縁の二個の相対する辺において接合部１５を設け、接合部１５に複数個の位置決め孔１５１を設けると同時に、蓋体１４の相対する位置においても複数個の位置決め孔１４２を設け、本体１と蓋体１４を互いに蓋するように合わせた後、複数個の固定部材１６によって互いに合わせた位置決め孔１５１、１４２を固設することにより、緊密かつ安定した結合による位置決めを達成することができる。これにより、本考案の水分子団の分解装置を使用する際に蓋体１４が振動によって本体１から緩んで脱落したり、ぶつかったりして噪音が生じたりするのを避けることができる。
【００２１】
送水管２は水が流通することができる管体からなり、送水管２は収容空間１１の中に設けられる。実施例１において、送水管２には一個の第一送水管２ａと一個の第二送水管２ｂが含まれ、第一送水管２ａと第二送水管２ｂにはそれぞれ入水端２１と出水端２２が形成され、かつ入水端２１と出水端２２はそれぞれ本体１の通孔１２に設けられ、さらに一個の固定材１７を結合して固定することにより、送水管２を本体１に固定することができる。送水管２はいかなる形状を有する管体からもなることができ、実施例１における第一送水管２ａと第二送水管２ｂはそれぞれ二個の長くて真っ直ぐな態様を有する送水管２からなっているが、第一送水管２ａと第二送水管２ｂを螺旋状の送水管２により形成することもでき、水の流動する通路を長くすることにより、水が収容空間１１の中に滞在する時間を延ばすことができる。
【００２２】
振動器３は収容空間１１の中に設けられ、かつ振動器３の一個の表面は本体１に貼接して固定される。振動器３の電源線３１は配線孔１３を通過して本体１を貫穿し、外部の電源と連接することができる。振動器３は電源線３１が電源と導通した後、持続的かつ高周波数の振動を発することができる。また、振動器３の数は振動器３の効率に基づいて設置することができ、要するに振動器３が導出した総振動エネルギーによって、凝集された大分子団水を小分子の凝集態様に分解することができる。
【００２３】
また、水の流動をさらにスムースにするべく、本考案の水分子団の分解装置には一個のポンプ４が設けられる。ポンプ４は蓋体１４の上端（図示の位置関係において）に固設することができる。実施例１において、ポンプ４は固定ユニット１４１によって蓋体１４の上端に固設され、ポンプ４によって水を吸引して輸送することができる。ポンプ４には一個の入水部４１と一個の出水部４２が設けられ、入水部４１は一個の第一管体４３を通じて第一送水管２ａの出水端２２まで連接され、かつポンプ４の出水部４２は一個の第二管体４４を通じて第二送水管２ｂの入水端２１まで連接される。
【００２４】
図２は本考案の実施例１による水分子団の分解装置の組み立てられた状態の断面図である。図２を参照すると、第一送水管２ａと第二送水管２ｂは収容空間１１の中に設けられ、さらにその入水端２１と出水端２２は本体１の通孔１２に貫穿され、それから固定材１７によって第一送水管２ａと第二送水管２ｂを本体１に結合して固定する。振動器３は収容空間１１の中に設けられ、さらに振動器３の一個の表面は本体１に貼接して固定され、振動器３の電源線３１は配線孔１３を通過して本体１を貫穿し、外部の電源と互いに連接することができる。蓋体１４を本体１に蓋するように合わせ、さらに複数個の固定部材１６を利用してそれぞれの位置決め孔１４２、１５１によって固設して位置決めすることができる。ポンプ４は固定ユニット１４１によって蓋体１４の上端に固設され、そして二個の管体４３、４４によってそれぞれポンプ４の入水部４１および第一送水管２ａの出水端２２と連通し、さらにポンプ４の出水部４２と第二送水管２ｂの入水端２１と連通することができる。それから、第一送水管２ａの入水端２１を水源と互いに連接し、さらに第二送水管２ｂの出水端２２を貯蔵装置と互いに連接することにより、組立作業を完成することができる。
【００２５】
図３は本考案の実施例１による水分子団の分解装置の実施形態の説明図である。図３を参照すると、本考案の水分子団の分解装置によれば、振動器３を起動した後、振動器３は持続的かつ高周波数の振動を発するとともに、本体１および本体１と互いに連接する第一送水管２ａおよび第二送水管２ｂに伝導することができる。また、ポンプ４を起動することにより、一個の動力を提供して原水を第一送水管２ａの入水端２１から第二送水管２ｂの出水端２２に向けて流させ、そして貯蔵装置の中まで進入させる。その中、原水が流動する時、第一送水管２ａと第二送水管２ｂ、さらに本体１全体が高周波による振動情況にあるため、第一送水管２ａと第二送水管２ｂを経由する原水は振動によってその凝集された大分子団が分解されることにより、原水は小分子の凝集状態に形成されるため、強い浸透力、高い還元力、高い界面活性、高い酸素の含有量、弱アルカリ性などの特性を有するように変性される。
【００２６】
このように、本考案の構造は簡単で体積が小さいため、例えば水飲み器などの飲用水の装置に取り付けることができる。飲用する前に本考案の水分子団の分解装置を起動すると、元々凝集された大分子団の水分子は処理を経た後、小分子団水に形成され、そして製造された後に直ちに飲用することで、水分子の間が新たに結合する前に人体に飲用することにより、小分子団水は最良な効果を充分に発揮することができ、人体の細胞に吸収し易い品質のよい飲用水を使用者に提供することができる。
【００２７】
また、本考案の水分子団の分解装置を実験室の供水設備の中に設置することにより、実験前に先ず実験用水を処理した後、直ちに使用することができるため、小分子団の態様を有する実験用水は接触面積が大きくなるため、均一かつ迅速に混合物と反応することができるとともに、実験の反応時間を短縮して作業効率を高めることができる。
【実施例２】
【００２８】
図４は本考案の実施例２による水分子団の分解装置の平面断面図である。図４を参照すると、実施例２において、振動器３を第一送水管２ａと第二送水管２ｂの上に直接貼接することができる。これにより、振動器３の一個の表面は第一送水管２ａまたは第二送水管２ｂと互いに接合するように形成され、もう一個の表面は本体１と互いに接合するように維持することができる。そのため、本考案において振動器３を起動した後、持続的かつ高周波数の振動を振動器３と互いに接合する送水管２まで直接伝導することにより、振動器３によって本体１と二個の送水管２を同時に振動させるため、送水管２は二重の振動エネルギーを接収することができ、さらに水分子団分解の効率を高めることができる。
【実施例３】
【００２９】
図５は本考案の実施例３による水分子団の分解装置の分解斜視図である。図５を参照すると、本考案の実施例３の水分子団の分解装置には一個の本体５、少なくとも一個の送水管６および少なくとも一個の振動器３が含まれる。送水管６と振動器３は本体５の中に固設される。
【００３０】
本体５はそれぞれの部材を組み立てて位置決めすることができる基体からなり、本体５の内部には一個の収容空間５１が形成され、かつ本体５には複数個の通孔５２と一個の配線孔５３が設けられる。本体５は各種の形状に形成することができ、実施例３における本体５は開口を有する矩形体に形成され、かつ本体５の上側（図示の位置関係において）の開口は一個の蓋体５１４が蓋するのに用いられる。
【００３１】
送水管６は水が流通することができる管体からなり、送水管６は収容空間５１の中に設けられる。送水管６の両端にはそれぞれ入水端６１と出水端６２が形成され、かつ入水端６１と出水端６２はそれぞれ本体５の通孔５２に設けられ、さらに本体５の外部に設けられる固定材５５によって送水管６を本体５に固定することができる。その中、入水端６１は水源まで連接され、出水端６２は貯蔵装置と互いに連接するように形成される。その他に、送水管６はいかなる形状を有する管体からもなることができ、例えば、図５に示すように、Ｓ字形に曲がりくねるような態様に形成することにより、水の流動する通路を長くすることにより、水が収容空間５１の中に滞在する時間を延ばすことができる。
【００３２】
振動器３の構造、功能、本体５との結合方式および配置は全て実施例１、２と同じであるため、ここではその説明を詳述しない。
【００３３】
このように、本考案の実施例３の水分子団の分解装置によれば、水源の水を直接送水管６の入水端６１から注入し、そして振動器３を起動させた時、持続的かつ高周波振動を本体５および本体５と互いに連接する送水管６まで伝導することにより、本来の凝集された水分子団を振動によって小分子による凝集状態に分解させた後、再び送水管６の出水端６２を通過して貯蔵装置に進入して直ちに飲用することができるため、強い浸透力、高い還元力、高い界面活性、高い酸素の含有量、弱アルカリ性などの特性を有する水分子団が形成される。
【００３４】
その中、仮に水源から提供される水圧が不足する場合、送水管６の入水端６１と水源の間に一個のポンプを設けることにより、充分な圧力を提供して原水を送水管６の中に送入することは、本考案の技術分野に属する者には容易に理解できるものである。また、同様に振動器３を直接送水管６の上に貼接することにより、送水管６は二重の振動エネルギーを接収することができ、さらに水分子団の分解の効率を高めることができる。
【００３５】
本考案の水分子団の分解装置は一般の給水設備に取り付けることができる。飲用する直前に水に対して微細化処理を行うことにより、獲得される小分子団水を直ちに飲用することができ、小分子団水は分子団が最も小さい時に使用することができるため、小分子団水の持つ最良な効果を充分に発揮することができる。その他に、製造される小分子団水を直接使用することができるため、包装と運送の過程を省くことができ、故にコストを相当に低く下げることができる。
【００３６】
本考案の水分子団の分解装置によれば、その構造が簡単で体積が小さいため、簡単に一般の給水設備に取り付けることができ、さらに製造、保守点検のコストを大幅に低く下げることができる。
【００３７】
本考案は、その精神と必須の特徴事項から逸脱することなく他のやり方で実施することができる。従って、本明細書に記載した好ましい実施例は例示的なものであり、限定的なものではない。
【符号の説明】
【００３８】
１    本体
１１    収容空間
１２    通孔
１３    配線孔
１４    蓋体
１４１    固定ユニット
１４２    位置決め孔
１５    接合部
１５１    位置決め孔
１６    固定部材
１７    固定材
２    送水管
２ａ    第一送水管
２ｂ    第二送水管
２１    入水端
２２    出水端
３    振動器
３１    電源線
４    ポンプ
４１    入水部
４２    出水部
４３    管体
４４    管体
５    本体
５１    収容空間
５２    通孔
５３    配線孔
５４    蓋体
５５    固定材
６    送水管
６１    入水端
６２    出水端
【図１】
0003171626.tif 000003
【図２】
0003171626.tif 000004
【図３】
0003171626.tif 000005
【図４】
0003171626.tif 000006
【図５】
0003171626.tif 000007